(57)【要約】  本発明は、簡易であり、かつ、強度の高い電気品箱の仮固定の構造を有する空気調和機の室外ユニットを提供することを目的とする。  空気調和機の室外ユニットは、仕切り板により区画された送風機室及び機械室と、機械室の背面、及び機械室の仕切り板とは反対側の側面をカバーする側面パネルと、機械室の上部に設けられている電気品箱とを有している。電気品箱は、側面パネルに仮固定するための仮固定爪を有し、側面パネルは、室外ユニットの内方に向かって室外ユニットの左右方向に沿って突出するパネル縁部と、仮固定爪が挿入される挿込み部とを有している。挿込み部は、パネル縁部に形成され互いに平行に延びている第１スリットと第２スリットとにより形成される舌片部を有している。仮固定爪が第１スリット及び第２スリットに支持され、舌片部に係止された状態で、電気品箱が側面パネルに仮固定されている。
2019058461.tif 000002
【特許請求の範囲】
【請求項１】
仕切り板により区画された送風機室及び機械室と、  前記機械室の背面、及び前記機械室の前記仕切り板とは反対側の側面をカバーする側面パネルと、  前記機械室の上部に設けられている電気品箱とを有している空気調和機の室外ユニットであって、  前記電気品箱は、前記側面パネルに仮固定するための仮固定爪を有し、  前記側面パネルは、前記室外ユニットの内方に向かって前記室外ユニットの左右方向に沿って突出するパネル縁部と、前記仮固定爪が挿入される挿込み部とを有し、  前記挿込み部は、前記パネル縁部に形成され互いに平行に延びている第１スリットと第２スリットとにより形成される舌片部を有しており、  前記仮固定爪が前記第１スリット及び前記第２スリットに支持され、前記舌片部に係止された状態で、前記電気品箱が前記側面パネルに仮固定されている空気調和機の室外ユニット。
【請求項２】
前記第１スリットと前記第２スリットは、前記パネル縁部において、前記パネル縁部の側端部から前記室外ユニットの左右方向に沿って延びるよう切り欠かれており、  前記電気品箱は、前記側面パネルに対向する側面に固定された固定板を備え、  前記固定板は、前記室外ユニットの左右方向に沿って前記側面パネルに向かって突出する固定板縁部を有し、  前記仮固定爪は、前記固定板縁部に形成された開口部に対向する位置に形成されている矩形の引っ掛け板と、前記室外ユニットの左右方向に延びている第１脚部及び第２脚部とを有し、  前記引っ掛け板において、前記室外ユニットの左右方向に延びる一対の側辺部のうち、上方の側辺部は前記第１脚部を介して前記固定板縁部と連続し、下方の側辺部は前記第２脚部を介して前記固定板縁部と連続しており、  前記第１脚部が前記第１スリットに挿入され、前記第２脚部が前記第２スリットに挿入され、前記引っ掛け板が前記舌片部に係止された状態で、前記電気品箱が前記側面パネルに仮固定されている請求項１に記載の空気調和機の室外ユニット。
【請求項３】
前記第１スリットの内周面を形成する上辺及び下辺の少なくとも一方において、前記第１スリットの開放端の端部に第１突起部が形成され、  前記第２スリットの内周面を形成する上辺及び下辺の少なくとも一方において、前記第２スリットの開放端の端部に第２突起部が形成されている請求項１又は２に記載の空気調和機の室外ユニット。
【請求項４】
前記第１突起部は、前記第１スリットの前記下辺に形成されている請求項３に記載の空気調和機の室外ユニット。
【請求項５】
前記第２突起部は、前記第２スリットの前記下辺に形成されている請求項３又は４に記載の空気調和機の室外ユニット。
【請求項６】
前記第１スリットの上下方向の幅は、前記第１脚部の上下方向における傾斜幅より大きく、前記第２スリットの上下方向の幅は、前記第２脚部の上下方向における傾斜幅より大きい請求項２に記載の空気調和機の室外ユニット。
【請求項７】
前記第１スリットの前記室外ユニットの左右方向の長さ、及び前記第２スリットの前記室外ユニットの左右方向の長さは、前記引っ掛け板の前記室外ユニットの左右方向の長さよりも長い請求項２に記載の空気調和機の室外ユニット。
【請求項８】
前記引っ掛け板と、前記第１脚部と、前記第２脚部と、前記開口部とにより、前記引っ掛け板の上下方向に延びる一対の側辺部の双方に、前記舌片部が挿抜可能な挿抜孔が形成されている請求項２に記載の空気調和機の室外ユニット。
【発明の詳細な説明】
【技術分野】
【０００１】  本発明は、電気品箱を備えた空気調和機の室外ユニットに関するものである。
【背景技術】
【０００２】  従来、空気調和機の室外ユニットに搭載される電気品箱は、室外ユニットの製造過程において、室外ユニットの筐体を構成しているパネルに仮固定される。仮固定され、適切な位置、及び姿勢で位置決めされた後、電気品箱は筐体に固定される。従って、電気品箱が筐体に固定されるまでの間、仮固定の状態を維持することが求められる。特許文献１には、フロントカバーとリヤカバーから成る外胴と、外胴の上面を補強する補強板とを有する空気調和機の室外機が記載されている。また、特許文献１の室外機に設けられる電気品箱は上部が開口しており、その両側には水平状のフランジが形成されている。補強板には、電気品箱のフランジを前後方向にスライド可能に保持するガイドが形成されている。この構成により、電気品箱は、補強板に対し前後方向にスライド可能に保持される。
【先行技術文献】
【特許文献】
【０００３】
【特許文献１】特開平１０−１２２６０３号公報
【発明の概要】
【発明が解決しようとする課題】
【０００４】  しかしながら、特許文献１の電気品箱の保持構造は、室外機の製造過程における仮固定の構造には適していない。電気品箱を仮固定するためには、まず補強板を取り付けなければならない。さらに、電気品箱の横方向の両端部間の距離をおいて離れている一対のフランジを、それぞれ対応する補強板のガイドに嵌合させなければならず、取付作業も容易ではない。従って、特許文献１の電気品箱の取付作業は作業効率が悪く、作業者にとって負担である。【０００５】  ところで、電気品箱の仮固定の簡易な構造として、電気品箱が仮固定される室外機の筐体パネルに開口部を形成し、電気品箱に爪を設け、電気品箱の爪の基部を筐体パネルの開口部に上方向から引っ掛けるよう構成することが考えられる。しかしながら、この構成では、電気品箱を筐体パネルに固定するまでの間、開口部の下側の辺部に爪の基部が当接した状態で、電気品箱の重量を支えることになる。従って、爪の基部に荷重がかかり、爪が変形する可能性がある。その結果、この構成では電気品箱の仮固定の役割を果たさない場合がある。【０００６】  本発明は、上記のような課題を解決するためになされたものであり、簡易であり、かつ、強度の高い電気品箱の仮固定の構造を有する空気調和機の室外ユニットを提供することを目的とする。
【課題を解決するための手段】
【０００７】  本発明に係る空気調和機の室外ユニットは、仕切り板により区画された送風機室及び機械室と、前記機械室の背面、及び前記機械室の前記仕切り板とは反対側の側面をカバーする側面パネルと、前記機械室の上部に設けられている電気品箱とを有している空気調和機の室外ユニットであって、前記電気品箱は、前記側面パネルに仮固定するための仮固定爪を有し、前記側面パネルは、前記室外ユニットの内方に向かって前記室外ユニットの左右方向に沿って突出するパネル縁部と、前記仮固定爪が挿入される挿込み部とを有し、前記挿込み部は、前記パネル縁部に形成され互いに平行に延びている第１スリットと第２スリットとにより形成される舌片部を有しており、前記仮固定爪が前記第１スリット及び前記第２スリットに支持され、前記舌片部に係止された状態で、前記電気品箱が前記側面パネルに仮固定されているものである。
【発明の効果】
【０００８】  本発明に係る空気調和機の室外ユニットによれば、仮固定爪が挿込み部の第１スリットと第２スリットの２箇所で支持され、側面パネルの舌片部に係止された状態で、電気品箱が側面パネルに仮固定されている。従って、簡易な構成で、電気品箱が仮固定されている状態を強固に維持することができる。
【図面の簡単な説明】
【０００９】
【図１】本発明の実施の形態に係る空気調和機の室外ユニットの斜視図である。
【図２】電気品箱と電気品箱が仮固定される右側面パネルとを分解して示す拡大斜視図である。
【図３】本発明の実施の形態に係る空気調和機の室外ユニットの右側面パネルの部分拡大図である。
【図４】本発明の実施の形態に係る空気調和機の室外ユニットの電気品箱の仮固定爪を示す図である。
【発明を実施するための形態】
【００１０】  以下に、本発明における空気調和機室外ユニットの実施の形態を図面に基づいて詳細に説明する。尚、以下に説明する実施の形態によって本発明が限定されるものではない。また、以下の図面においては各構成部材の大きさは実際の装置とは異なる場合がある。
【００１１】実施の形態．  図１は、本発明の実施の形態に係る空気調和機の室外ユニットの斜視図である。室外ユニット１は、仕切り板２と、仕切り板２により区画された送風機室３及び機械室４とを有している。また、室外ユニット１は、前面パネル５と、左側面パネル６と、熱交換器７と、右側面パネル１０と、電気品箱２０とを有している。前面パネル５及び熱交換器７は、送風機室３側に設けられており、前面パネル５は室外ユニット１の前面側に配置され、熱交換器７は室外ユニット１の背面側及び送風機室３側の側面に配置されている。図１において、冷凍サイクルを構成するファン、圧縮機、及び冷媒配管等は省略されている。
【００１２】  機械室４の底部には図示省略の圧縮機が配置される。右側面パネル１０は板状部材であり、横断面形状がＬ字型になるよう折り曲げられている。右側面パネル１０は、室外ユニット１の右側面において背面側に配置される側面部１１と、室外ユニット１の背面に配置される背面部１２とを有しており、機械室４の背面と、機械室４の仕切り板２とは反対側の側面の一部とをカバーしている。右側面パネル１０は、本発明の側面パネルである。電気品箱２０は、機械室４の上部に設けられている。電気品箱２０は、後述する仮固定機構により右側面パネル１０に仮固定されている。尚、図１では、室外ユニット１の側面において、機械室４の前面と、機械室４の仕切り板２とは反対側の側面の一部とをカバーするパネルは図示が省略されている。
【００１３】  図２は、電気品箱と電気品箱が仮固定される右側面パネルとを分解して示す拡大斜視図である。電気品箱２０は、側面２１と背面２２が交差する角部が右側面パネル１０のＬ字型に折り曲げられた部分に嵌合するよう配置された状態で仮固定されている。すなわち、電気品箱２０は、側面２１が右側面パネル１０の側面部１１に対向し、背面２２が右側面パネル１０の背面部１２に対向するよう配置された状態で仮固定されている。右側面パネル１０の側面部１１の端部には、パネル縁部１１Ａが形成されている。パネル縁部１１Ａは、室外ユニット１の内方に向かって室外ユニット１の左右方向に沿って突出しており、側面部１１の上端から下端にわたって延びている。パネル縁部１１Ａの上端部には、挿込み部１３が形成されている。
【００１４】  電気品箱２０の側面２１には、全体として矩形の薄板状の固定板２３が固定されている。固定板２３の上下方向の幅は、側面２１の上下方向の幅と略一致している。固定板２３において背面２２側の辺部には、固定板縁部２２Ａが形成されている。固定板縁部２２Ａは、側面２１に対し垂直な方向、かつ側面２１から離れる方向へ突出しており、電気品箱２０の左右方向に沿っている。また、固定板縁部２２Ａは、固定板２３の上端から下端にわたって延びている。固定板縁部２２Ａの上端部には、仮固定爪２４が設けられている。すなわち、仮固定爪２４は電気品箱２０の側面２１の上端部に位置づけられている。
【００１５】  電気品箱２０が右側面パネル１０に仮固定されている状態において、右側面パネル１０の側面部１１のパネル縁部１１Ａは室外ユニット１の左右方向に沿って電気品箱２０へ向かって突出している。また、電気品箱２０が右側面パネル１０に仮固定されている状態において、電気品箱２０の固定板２３の固定板縁部２２Ａは室外ユニット１の左右方向に沿って右側面パネル１０に向かって突出している。
【００１６】  本実施の形態において、電気品箱２０を右側面パネル１０に仮固定している仮固定機構３０は、右側面パネル１０の挿込み部１３と電気品箱２０の固定板２３の仮固定爪２４とで構成されている。
【００１７】  図３は、本発明の実施の形態に係る空気調和機の室外ユニットの右側面パネルの部分拡大図である。図３は、右側面パネル１０の側面部１１を室外ユニット１の背面側から示している。図３に示すように、右側面パネル１０の側面部１１のパネル縁部１１Ａの挿込み部１３において、第１スリット１３１と第２スリット１３２が形成されている。第１スリット１３１及び第２スリット１３２は、パネル縁部１１Ａの側端部から側面部１１に向かって室外ユニット１の左右方向に沿って切り欠かれているＵ字溝状の切欠きである。第１スリット１３１及び第２スリット１３２は、上下方向に間隔をおいて、室外ユニット１の左右方向であって側面部１１に対して直交する方向に沿って平行に延びている。第１スリット１３１及び第２スリット１３２により、舌片部１３０が形成されている。
【００１８】  第１スリット１３１の内周面は平行に延びる上辺１３１Ａ及び下辺１３１Ｂを有している。下辺１３１Ｂは舌片部１３０の上側の辺部に相当する。下辺１３１Ｂにおいて、第１スリット１３１の開放端の端部には第１突起部１３１Ｃが形成されている。同様に、第２スリット１３２の内周面は、平行に延びる上辺１３２Ａ及び下辺１３２Ｂを有している。下辺１３２Ｂにおいて、第２スリット１３２の開放端の端部には第２突起部１３２Ｃが形成されている。上辺１３２Ａは舌片部１３０の下側の辺部に相当する。
【００１９】  図４は、本発明の実施の形態に係る空気調和機の室外ユニットの電気品箱の仮固定爪を示す図である。図４は、仮固定爪２４を室外ユニット１の背面側から示している。仮固定爪２４は、第１脚部２４１と第２脚部２４２と引っ掛け板２４３とを有している。引っ掛け板２４３は、固定板２３の固定板縁部２２Ａに形成された開口部２２Ｂに対向する位置に形成されている。引っ掛け板２４３は、矩形の薄板状の部材である。第１脚部２４１及び第２脚部２４２は、室外ユニット１の左右方向に延びている。引っ掛け板２４３において、室外ユニット１の左右方向に延びる一対の側辺部のうち、上方の側辺部は第１脚部２４１を介して固定板縁部２２Ａと連続し、下方の側辺部は第２脚部２４２を介して固定板縁部２２Ａと連続している。引っ掛け板２４３と、第１脚部２４１と、第２脚部２４２と、開口部２２Ｂとにより、引っ掛け板２４３の上下方向に延びる一対の側辺部の双方に、上述の右側面パネル１０のパネル縁部１１Ａの舌片部１３０が挿抜可能な挿抜孔２２Ｃが形成されている。仮固定爪２４は、押し出し成型により形成される。
【００２０】  上述の図３に示す第１スリット１３１の室外ユニット１の左右方向の長さ、及び第２スリット１３２の室外ユニット１の左右方向の長さは、引っ掛け板２４３の室外ユニット１の左右方向の長さよりも長くなっている。
【００２１】  図３に示す舌片部１３０を図４に示す仮固定爪２４の挿抜孔２２Ｃに差し込むことにより、電気品箱２０は右側面パネル１０に仮固定される。固定板縁部２２Ａがパネル縁部１１Ａよりも室外ユニット１の前面側に位置し、固定板縁部２２Ａの側端部側の挿抜孔２２Ｃが、舌片部１３０の先端に対向するよう、電気品箱２０を位置決めする。第１突起部１３１Ｃを乗り越えて仮固定爪２４の第１脚部２４１を第１スリット１３１内に挿入させ、第２突起部１３２Ｃを乗り越えて仮固定爪２４の第２脚部２４２を第２スリット１３２内に挿入させる。そして、舌片部１３０を固定板縁部２２Ａの側端部側の挿抜孔２２Ｃから挿入させる。さらに、舌片部１３０の先端が、電気品箱２０の側面２１の側の挿抜孔２２Ｃに到達するまで、電気品箱２０を押し込む。その結果、挿込み部１３の舌片部１３０が、仮固定爪２４の上側の第１脚部２４１と下側の第２脚部２４２とで挟持された状態、換言すると、仮固定爪２４が、挿込み部１３の第１スリット１３１と第２スリット１３２の２箇所で支持された状態となる。この状態で、電気品箱２０は右側面パネル１０に仮固定されている。すなわち、電気品箱２０が右側面パネル１０に仮固定された状態において、第１脚部２４１と第１スリット１３１が嵌合し、第２脚部２４２と第２スリット１３２が嵌合し、仮固定爪２４の引っ掛け板２４３が舌片部１３０に係止されている。
【００２２】  本実施の形態では、仮固定爪２４が挿込み部１３の上方の第１スリット１３１と下方の第２スリット１３２の２箇所で支持された状態で、電気品箱２０が右側面パネル１０に仮固定されている。従って、電気品箱２０が仮固定されている状態を強固に維持することができる。その結果、右側面パネル１０の挿込み部１３に仮固定されている状態から、電気品箱２０が脱落することが防止される。
【００２３】  さらに、第１スリット１３１と第１脚部２４１と、第２スリット１３２と第２脚部２４２の２箇所で嵌合し、かつ、第１脚部２４１と第２脚部２４２とで舌片部１３０を挟持している。従って、電気品箱２０をより強固に仮固定することができる。
【００２４】  本実施の形態では、第１スリット１３１の下辺１３１Ｂの開放端の端部には第１突起部１３１Ｃが形成され、第２スリット１３２の下辺１３２Ｂに開放端の端部には第２突起部１３２Ｃが形成されている。従って、電気品箱２０を右側面パネル１０に仮固定した状態において、舌片部１３０を仮固定爪２４の挿抜孔２２Ｃから抜く方向に外力が加わっても、仮固定爪２４が挿込み部１３から容易に脱落することはない。また、電気品箱２０が仮固定されている状態において、仮固定爪２４が左右方向に変形したとしても、第１突起部１３１Ｃ及び第２突起部１３２Ｃにより、仮固定爪２４の変位が防止されるため、電気品箱２０の脱落が回避される。以上のように、本実施の形態によれば、電気品箱２０の仮固定を強固なものとすることができる。
【００２５】  上述のように、仮固定爪２４は押し出し成型により形成される。従って、第１脚部２４１及び第２脚部２４２の双方、若しくはいずれか一方が、室外ユニット１の左右方向であって固定板２３に直交する方向に沿って形成されない可能性がある。すなわち、第１脚部２４１及び第２脚部２４２は上下方向において傾斜して形成される可能性がある。この場合、本実施の形態では、第１スリット１３１の上下方向の幅が第１脚部２４１の上下方向における傾斜幅より長くなるよう、第１スリット１３１が形成される。同様に、第２スリット１３２の上下方向の幅が第２脚部２４２の上下方向における傾斜幅より長くなるよう、第２スリット１３２が形成される。これにより、第１脚部２４１の第１スリット１３１への挿入、及び第２脚部２４２の第２スリット１３２への挿入が容易となる。
【００２６】  本実施の形態によれば、上方の第１スリット１３１と第１脚部２４１と、下方の第２スリット１３２と第２脚部２４２の２箇所で嵌合し、かつ、第１脚部２４１と第２脚部２４２とで舌片部１３０を挟持している。従って、電気品箱２０を強固に仮固定することができる。その結果、右側面パネル１０の挿込み部１３に仮固定されている状態から、電気品箱２０が脱落することが防止される。
【００２７】  本実施の形態によれば、第１スリット１３１の室外ユニット１の左右方向の長さ、及び第２スリット１３２の室外ユニット１の左右方向の長さは、仮固定爪２４の引っ掛け板２４３の室外ユニット１の左右方向の長さよりも長くなっている。従って、第１スリット１３１と第１脚部２４１と嵌合状態、及び第２スリット１３２と第２脚部２４２との嵌合状態をより強固にすることができる。
【００２８】  電気品箱２０が仮固定されると、電気品箱２０の荷重がかかった状態で側面２１が右側面パネル１０により支えられるが、本実施の形態においては、仮固定爪２４は、電気品箱２０の側面２１の上端部に位置づけられている。従って、電気品箱２０が仮固定されている状態を安定的に維持することができる。
【００２９】  また、仮固定爪２４は、電気品箱２０に左右方向と平行な固定板縁部２２Ａに形成されており、仮固定爪２４の引っ掛け板２４３は、電気品箱２０と平行である。そして、電気品箱２０が仮固定されている状態において、引っ掛け板２４３は舌片部１３０に係止されている。従って、仮固定された電気品箱２０に対し、前後方向に外力が加えられても、電気品箱２０がずれて落下することが防止される。
【００３０】  本実施の形態では、第１スリット１３１の下辺１３１Ｂに第１突起部１３１Ｃが形成され、かつ、第２スリット１３２の下辺１３２Ｂに第２突起部１３２Ｃが形成されているが、これに限るものではない。第１スリット１３１において、上辺１３１Ａ及び下辺１３１Ｂの双方に突起部を形成し、第２スリット１３２において、上辺１３２Ａ及び下辺１３２Ｂの双方に突起部を形成してもよい。この構成によれば、電気品箱２０の脱落防止効果をより高めることができる。
【００３１】  また、第１スリット１３１において、上辺１３１Ａにのみ突起部を設け、第２スリット１３２において、上辺１３２Ａにのみ突起部を形成してもよい。また、第１スリット１３１若しくは第２スリット１３２のいずれか一方に突起部を形成してもよい。
【００３２】  本実施の形態では、仮固定爪２４の引っ掛け板２４３の両脇に挿抜孔２２Ｃが形成されている。従って、従来のプレス工程で仮固定爪２４の成型が可能であるため、特別設備を投入しなくてもよく、金型改造のためのコスト及び期間も抑えられる。
【符号の説明】
【００３３】  １  室外ユニット、２  仕切り板、３  送風機室、４  機械室、５  前面パネル、６  左側面パネル、７  熱交換器、１０  右側面パネル、１１  側面部、１１Ａ  パネル縁部、１２  背面部、１３  挿込み部、２０  電気品箱、２１  側面、２２  背面、２２Ａ  固定板縁部、２２Ｂ  開口部、２２Ｃ  挿抜孔、２３  固定板、２４  仮固定爪、３０  仮固定機構、１３０  舌片部、１３１  第１スリット、１３１Ａ  上辺、１３１Ｂ  下辺、１３１Ｃ  第１突起部、１３２  第２スリット、１３２Ａ  上辺、１３２Ｂ  下辺、１３２Ｃ  第２突起部、２４１  第１脚部、２４２  第２脚部、２４３  引っ掛け板。
【図１】
2019058461.tif 000003
【図２】
2019058461.tif 000004
【図３】
2019058461.tif 000005
【図４】
2019058461.tif 000006
【手続補正書】
【提出日】令和1年11月14日(2019.11.14)
【手続補正１】
【補正対象書類名】明細書
【補正対象項目名】０００７
【補正方法】変更
【補正の内容】
【０００７】
本発明に係る空気調和機の室外ユニットは、仕切り板により区画された送風機室及び機械室と、前記機械室の背面、及び前記機械室の前記仕切り板とは反対側の側面をカバーする側面パネルと、前記機械室の上部に設けられている電気品箱とを有している空気調和機の室外ユニットであって、前記電気品箱は、前記側面パネルに仮固定するための仮固定爪を有し、前記側面パネルは、前記室外ユニットの内方に向かって前記室外ユニットの左右方向に沿って突出するパネル縁部と、前記仮固定爪が挿入される挿込み部とを有し、前記挿込み部は、前記パネル縁部に形成され互いに平行に延びている第１スリットと第２スリットとにより形成される舌片部を有しており、前記仮固定爪は、引っ掛け板と、前記引っ掛け板の上辺部から延びる第１脚部と、前記引っ掛け板の下辺部から延びる第２脚部とを有し、前記引っ掛け板の側辺部の双方に、前記舌片部が挿抜可能な挿抜孔が形成されており、前記第１脚部が前記第１スリットに挿入され、前記第２脚部が前記第２スリットに挿入され、前記舌片部が前記挿抜孔に挿入されているものである。
【手続補正２】
【補正対象書類名】特許請求の範囲
【補正対象項目名】全文
【補正方法】変更
【補正の内容】
【特許請求の範囲】
【請求項１】
仕切り板により区画された送風機室及び機械室と、
前記機械室の背面、及び前記機械室の前記仕切り板とは反対側の側面をカバーする側面パネルと、
前記機械室の上部に設けられている電気品箱とを有している空気調和機の室外ユニットであって、
前記電気品箱は、前記側面パネルに仮固定するための仮固定爪を有し、
前記側面パネルは、前記室外ユニットの内方に向かって前記室外ユニットの左右方向に沿って突出するパネル縁部と、前記仮固定爪が挿入される挿込み部とを有し、
前記挿込み部は、前記パネル縁部に形成され互いに平行に延びている第１スリットと第２スリットとにより形成される舌片部を有しており、
前記仮固定爪は、引っ掛け板と、前記引っ掛け板の上辺部から延びる第１脚部と、前記引っ掛け板の下辺部から延びる第２脚部とを有し、
前記引っ掛け板の側辺部の双方に、前記舌片部が挿抜可能な挿抜孔が形成されており、
前記第１脚部が前記第１スリットに挿入され、前記第２脚部が前記第２スリットに挿入され、前記舌片部が前記挿抜孔に挿入されている空気調和機の室外ユニット。
【請求項２】
前記第１スリットと前記第２スリットは、前記パネル縁部において、前記パネル縁部の側端部から前記室外ユニットの左右方向に沿って延びるよう切り欠かれており、
前記電気品箱は、前記側面パネルに対向する側面に固定された固定板を備え、
前記固定板は、前記室外ユニットの左右方向に沿って前記側面パネルに向かって突出する固定板縁部を有し、
前記引っ掛け板は、前記固定板縁部に形成された開口部に対向する位置に形成されており、前記第１脚部及び前記第２脚部は、前記室外ユニットの左右方向に延びており、
前記引っ掛け板において、前記室外ユニットの左右方向に延びる一対の側辺部のうち、上方の側辺部は前記第１脚部を介して前記固定板縁部と連続し、下方の側辺部は前記第２脚部を介して前記固定板縁部と連続している請求項１に記載の空気調和機の室外ユニット。
【請求項３】
前記第１スリットの内周面を形成する上辺及び下辺の少なくとも一方において、前記第１スリットの開放端の端部に第１突起部が形成され、
前記第２スリットの内周面を形成する上辺及び下辺の少なくとも一方において、前記第２スリットの開放端の端部に第２突起部が形成されている請求項１又は２に記載の空気調和機の室外ユニット。
【請求項４】
前記第１突起部は、前記第１スリットの前記下辺に形成されている請求項３に記載の空気調和機の室外ユニット。
【請求項５】
前記第２突起部は、前記第２スリットの前記下辺に形成されている請求項３又は４に記載の空気調和機の室外ユニット。
【請求項６】
前記第１スリットの上下方向の幅は、前記第１脚部の上下方向における傾斜幅より大きく、前記第２スリットの上下方向の幅は、前記第２脚部の上下方向における傾斜幅より大きい請求項２に記載の空気調和機の室外ユニット。
【請求項７】
前記第１スリットの前記室外ユニットの左右方向の長さ、及び前記第２スリットの前記室外ユニットの左右方向の長さは、前記引っ掛け板の前記室外ユニットの左右方向の長さよりも長い請求項２に記載の空気調和機の室外ユニット。
【請求項８】
前記挿抜孔は、前記引っ掛け板と、前記第１脚部と、前記第２脚部と、前記開口部とによって形成されている請求項２に記載の空気調和機の室外ユニット。
【国際調査報告】
2019058461.tif 000007
2019058461.tif 000008
2019058461.tif 000009